(57)【要約】【課題】可動スクロールの旋回半径に影響されることなく、自転阻止機構を構成するピンの強度を向上し、耐久性に優れたスクロール型圧縮機を提供する。【解決手段】ハウジング内に固定スクロールと可動スクロールとを有するとともに、前記ハウジング側に挿入される挿入部と可動スクロール側へ突出する突出部とを有する第１のピンと、前記可動スクロール側に挿入される挿入部とハウジング側へ突出する突出部とを有する第２のピンと、第１のピンと第２のピンの突出部を互いに連結するリンク部材とからなる自転阻止機構を備え、前記可動スクロールを固定スクロールに対し旋回運動させるスクロール型圧縮機において、前記第１のピンおよび第２のピンの少なくとも一方のピンの径に変化をもたせたことを特徴とするスクロール型圧縮機。【選択図】図１
2005188442.tif 000002
【特許請求の範囲】
【請求項１】
ハウジング内に固定スクロールと可動スクロールとを有するとともに、前記ハウジング側に挿入される挿入部と可動スクロール側へ突出する突出部とを有する第１のピンと、前記可動スクロール側に挿入される挿入部とハウジング側へ突出する突出部とを有する第２のピンと、第１のピンと第２のピンの突出部を互いに連結するリンク部材とからなる自転阻止機構を備え、前記可動スクロールを固定スクロールに対し旋回運動させるスクロール型圧縮機において、前記第１のピンおよび第２のピンの少なくとも一方のピンの径に変化をもたせたことを特徴とするスクロール型圧縮機。
【請求項２】
前記少なくとも一方のピンの挿入部の径がピンの突出部の径よりも大きい、請求項１のスクロール型圧縮機。
【請求項３】
前記少なくとも一方のピンの挿入部の径が段階的に変化している、請求項１または２のスクロール型圧縮機。
【請求項４】
前記少なくとも一方のピンの挿入部が異形状に形成されている、請求項１ないし３のいずれかに記載のスクロール型圧縮機。
【請求項５】
前記少なくとも一方のピンの挿入部の表面粗さが突出部の表面粗さよりも粗く形成されている、請求項１ないし４のいずれかに記載のスクロール型圧縮機。
【請求項６】
前記少なくとも一方のピンの挿入部と突出部とが別部材からなる、請求項１ないし５のいずれかに記載のスクロール圧縮機。
【請求項７】
前記少なくとも一方のピンの挿入部が圧入されている、請求項１ないし６のいずれかに記載のスクロール型圧縮機。
【請求項８】
前記少なくとも一方のピンの挿入部が鋳込まれている、請求項１ないし６のいずれかに記載のスクロール型圧縮機。
【発明の詳細な説明】
【技術分野】
【０００１】
本発明は、一対のピンを有する自転阻止機構を備えたスクロール型圧縮機に関し、とくに自転阻止機構、ひいては装置の耐久性を向上できるスクロール型圧縮機に関する。
【背景技術】
【０００２】
従来から、ハウジング内に固定スクロールと可動スクロールとを角度をずらせて噛み合わせたスクロール型圧縮機はよく知られている。このような、スクロール型圧縮機においては、可動スクロールを固定スクロールに対して自転を阻止しつつ旋回させることにより両スクロール内に形成される圧縮室がその容積を減少しながらスクロールの中央に向かって移動されることにより、流体（たとえば、熱交換媒体）が圧縮されるようになっている。  
【０００３】
上記のようなスクロール型圧縮機の自転阻止機構としては、たとえば図４に示すようなものが知られている（たとえば、特許文献１）。図４において、１００はハウジングを示している。ハウジング１００の穴１０１にはピン１０２の挿入部１０３が挿入されている。一方、可動スクロール１０４の穴１０５にはピン１０６の挿入部１０７が挿入されている。ピン１０２の突出部１０８は可動スクロール１０４側へ突出されており、ピン１０６の突出部１０９はハウジング１００側に突出されている。ピン１０２、１０６の突出部１０８、１０９はリンク部材１１０の孔１１１、１１２に遊嵌されている。このような自転阻止機構においては、ハウジング１００側に設けられてピン１０２の回りを、リンク部材１１０により軌道が規制された可動スクロール１０４側のピン１０６がピン１０２を旋回することにより、可動スクロール１０４の自転が防止され旋回運動のみが許容されるようになっている。
【特許文献１】特開２００１−９０６７９号公報
【発明の開示】
【発明が解決しようとする課題】
【０００４】
しかしながら、特許文献１のような自転阻止機構においては、ピン１０２、１０６の径（太さ）は可動スクロール１０４の旋回半径に応じて制限される。つまり、予め定められた可動スクロール１０４の旋回半径を確保するためには、これに合せてピン１０２に対するピン１０６の旋回半径を設定する必要が生じる。したがって、ピン１０２、１０６の強度を向上するためにピン１０２、１０６の径のみを大きく設定することは許されない。このため、図４のような均一径のピン１０２、１０６を使用する場合には、ピン１０２、１０６の強度、とくに挿入部１０３、１０７の強度が十分に確保できずに、自転阻止機構、ひいてはスクロール型圧縮機の耐久性が低下するおそれがある。
【０００５】
そこで本発明の課題は、可動スクロールの旋回半径に影響されることなく、自転阻止機構に用いられるピンの強度を確保でき自転阻止機構、ひいては装置の耐久性を向上できるスクロール型圧縮機を提供することにある。
【課題を解決するための手段】
【０００６】
上記課題を解決するために、本発明に係るスクロール型圧縮機は、ハウジング内に固定スクロールと可動スクロールとを有するとともに、前記ハウジング側に挿入される挿入部と可動スクロール側へ突出する突出部とを有する第１のピンと、前記可動スクロール側に挿入される挿入部とハウジング側へ突出する突出部とを有する第２のピンと、第１のピンと第２のピンの突出部を互いに連結するリンク部材とからなる自転阻止機構を備え、前記可動スクロールを固定スクロールに対し旋回運動させるスクロール型圧縮機において、前記第１のピンおよび第２のピンの少なくとも一方のピンの径に変化をもたせたものからなる。このようなスクロール型圧縮機においては、たとえば、第１のピンおよび／または第２のピンの挿入部の径を突出部の径よりも大きく形成することができる。したがって、第１のピンに対する第２のピンの旋回半径はそのままに、つまり可動スクロールの旋回半径に影響されることなく第１のピンおよび／または第２のピンに十分な強度を付与することができる。
【０００７】
上記一方のピンの径は段階的に変化させることもできるが、連続的に変化させることも可能である。たとえば挿入部の端部に向かって段階的にまたは連続的に径を大きく設定することもできる。
【０００８】
また、上記一方のピンの挿入部を異形状に形成すれば、ピンのハウジングまたは可動スクロールに対する固定強度をより向上することができる。なお、本願の特許請求の範囲、明細書において異形状とは、円形以外のすべての形状、たとえば三角形、四角形、その他の多角形等を言うものとする。
【０００９】
また、上記一方のピンの挿入部の表面粗さは突出部の表面粗さよりも粗く設定されることが好ましい。このようすれば上記と同様にピンのハウジングまたは可動スクロールに対する固定強度を向上できる。
【００１０】
また、上記一方のピンの挿入部と突出部とは別部材から形成することも可能である。たとえば、挿入部を突出部よりも高強度の部材から形成すれば、ピンの挿入部の強度、ピンのハウジングまたは可動スクロールに対する固定強度をより向上できる。
【００１１】
また、上記一方のピンの挿入部の、ハウジングおよび可動スクロールに対する固定方法はとくに限定されるものではないが、たとえば圧入、鋳込み等により簡単に固定することができる。
【発明の効果】
【００１２】
本発明に係るスクロールら多圧縮機によれば、可動スクロールの自転阻止機構に用いられる、いずれか一方のピンの径、たとえば挿入部の径のみを大きくすることができるので、可動スクロールの旋回半径にかかわらずピン、ひいては自転阻止機構の耐久性を向上できる。
【発明を実施するための最良の形態】
【００１３】
以下に、本発明のスクロール型圧縮機の望ましい実施の形態を、面を参照して説明する。図１および図２は本発明の第１実施態様に係るスクロール型圧縮機をしめしている。図において、１はスクロール型圧縮機をしめしている。スクロール型圧縮機１は、フロントハウジング２とリアハウジング（ケーシング）３とクラッチ機構４とを有している。フロントハウジング２には回転軸５を介して回転自在に内挿されている。回転軸５の一端にはクランク機構６が設けられており、クランク機構６のクランクピン７は、回転軸５の中心（軸心）から偏心した位置に設けられた偏心ブッシュ８に挿通されている。
【００１４】
偏心ブッシュ８は、可動スクロール９の突起１０内に固着された駆動ベアリング１１に回転自在に挿入されている。可動スクロール９は、底板１２と、該底板１２上に設けられたうず巻体１３とを有している。可動スクロール９のうず巻体１３には固定スクロール１４の底板１５上に設けられたうず巻体１６が角度をずらせて噛み合わされている。
【００１５】
固定スクロール１４の底板１５の略中央には、吐出孔１７が穿設されている。突出孔１７には、吐出弁１８が設けられており、該吐出弁１８の吐出室１９内へのリフト量はリテーナ２０に当接し規制されるようになっている。
【００１６】
図２に示すように、フロントハウジング２の穴２４には第１のピン２１の一端の挿入部２２が挿入されている。また、第１のピン２１の他端は可動スクロール９側へ突出す突出部２３に構成されている。本実施態様においては、第１のピン２１の挿入部２２の径は突出部２３の径よりも大きく形成されている。なお、本実施態様においては、挿入部２２の表面粗さは、突出部２３よりも粗く形成されている。また、挿入部２２は略円形に形成されているが、異形状に形成してもよい。このように、表面粗さに差を持たせたり、挿入部２２を異形状に形成すればフロントハウジング２へのピン２１の固定強度をより向上できる。第１のピン２１の挿入部２２は可動スクロール９の穴２４に圧入または鋳込みにより簡単に固定できる。
【００１７】
一方、可動スクロール９の底板１０の穴２８には第２のピン２５の一端の挿入部２６が挿入されている。また、第２のピン２５の他端はフロントハウジング２側へ突出す突出部２７に構成されている。本実施態様においては、第２のピン２５の挿入部２６の径は突出部２７の径よりも大きく形成されている。なお、本実施態様においては、挿入部２６の表面粗さは、突出部２７よりも粗く形成されている。また、挿入部２６は略円形に形成されているが、異形状に形成してもよい。このように、表面粗さに差を持たせたり、挿入部２６を異形状に形成すれば可動スクロール９へのピン２５の固定強度をより向上できる。第２のピン２５の挿入部２６はフロントハウジング２の穴２８に圧入または鋳込みにより簡単に固定できる。
【００１８】
なお本実施態様においては、ピン２１、２５の挿入部２２、２６と突出部２３、２７とが同一部材から形成されているが、別部材から構成することもできる。
【００１９】
第１のピン２１と第２のピン２５は、リンク部材２９により互いに連結されている。より具体的には、ピン２１、２５の突出部２３、２７は、リンク部材２９の孔３０、３１に遊嵌されており、両ピン２１、２５が互いに連結されるようになっている。第１のピン２１、第２のピン２５、リンク部材２９等により可動スクロール９の自転阻止機構３２が構成されている。
【００２０】
本実施態様に係るスクロール型圧縮機１においては、たとえば自動車用エンジンあるいは駆動モータ等の駆動源（図示略）からの駆動力がクラッチ機構４を介して、回転軸５に伝達される。さらに、クランク機構６のクランクピン７により偏心ブッシュ８が回転される。そして、自転阻止機構３２によって自転阻止された可動スクロール９に旋回運動が付与されるようになっている。
【００２１】
具体的には、回転軸５による回転力が可動スクロール９に伝達されると、自転阻止機構３２の第１のピン２１にリンク部材２９を介して連結された第２のピン２５が、第１のピン２１に対して旋回することにより、可動スクロール９の自転が阻止され固定スクロール１４に対する旋回運動が付与されるようになっている。
【００２２】
そして、吸入ポート（図示略）から吸入された流体（たとえば、冷媒）は、うず巻体１３、１６の先端の空隙からうず巻体内部へと取り込まれる。さらに、可動スクロール９の旋回により形成される流体ポケットがその容積を減少しながら中央に向かって移動され、圧縮流体が吐出孔１７から吐出室１９へ吐出され、吐出ポート（図示略）から外部経路へと送られるようになっている。
【００２３】
また、本実施態様においては、第１のピン２１および第２のピン２５の挿入部２２、２６の径を突出部２３、２７の径よりも大きく形成されている。したがって、第１のピン２１に対する第２のピン２５の旋回半径はそのままに、つまり可動スクロール９の旋回半径に影響されることなくピン２１、２５に十分な強度、耐久性を付与することができる。
【００２４】
図３は本発明の第２実施態様に係るスクロール型圧縮機の自転阻止機構を示している。なお、上記第１実施態様と同一の部材には同一の番号を付しその説明を省略することとする。本実施態様においては、第１のピン３３の挿入部３４の径は段階的に変化されている。つまり、本実施態様においては、挿入部３４に段階的に大径部３５、３６が設けられている。一方、第２のピン３７の挿入部３８にも大径部３９、４０が設けられており、挿入部３８の径が段階的に変化されている。
【００２５】
本実施態様においても、上記第１実施態様の作用に準じて自転阻止機構、ひてはスクロール型圧縮機の耐久性を向上できる。また、本実施態様においては、段階的に大径部が形成されている。つまり、挿入部３４、３８の全体ではなくその一部が大径部に形成されているので、ピン３３、３７を軽量化できる。また、本実施態様においても、大径部を異形状に形成したり、大径部の表面粗さのみを粗くすれば、ピン３３、３７の固定強度をより向上できる。
【００２６】
なお、上記実施態様においては、第１のピンおよび第２のピンの双方の径を変化させているが、いずれか一方のピンの径のみ変化させれば、十分に装置の強度、耐久性を向上できる。
【産業上の利用可能性】
【００２７】
本発明は、ピンとリンク部材とを有する自転阻止機構を備えたスクロール型圧縮機、とくに車両用空調装置に用いられるスクロール型圧縮機として好適である。
【図面の簡単な説明】
【００２８】
【図１】本発明の第１実施態様に係るスクロール型圧縮機の断面図である。
【図２】図１のスクロール型圧縮機の自転阻止機構の拡大断面図である。
【図３】本発明の第２実施態様に係るスクロール型圧縮機の自転阻止機構の拡大断面図である。
【図４】従来のスクロール型圧縮機の自転阻止機構の拡大断面図である。
【符号の説明】
【００２９】
１  スクロール型圧縮機
２  フロントハウジング
３  リアハウジング（ケーシング）
４  クラッチ機構
５  回転軸
６  クランク機構
７  クランクピン
８  偏心ブッシュ
９  可動スクロール
１０  可動スクロールの突起
１１  駆動ベアリング
１２、１５  底板
１３、１６  うず巻体
１４  固定スクロール
１７  吐出孔
１８  吐出弁
１９  吐出室
２０  リテーナ
２１、３３  第１のピン
２２、３４  第１のピンの挿入部
２３  第１のピンの突出部
２４  穴
２５、３７  第２のピン
２６、３８  第２のピンの挿入部
２７  第２のピンの突出部
２８  穴
２９  リンク部材
３０、３１  孔
３２  自転阻止機構
３５、３６、３９、４０  大径部
【図１】
2005188442.tif 000003
【図２】
2005188442.tif 000004
【図３】
2005188442.tif 000005
【図４】
2005188442.tif 000006